(57)【特許請求の範囲】
【請求項１】
再生装置に生じた振動を検出し、検出された振動回数を含む振動検出情報を出力する振動検出手段と、
前記振動検出情報を取得し、取得した振動検出情報に含まれる振動回数に基づいて、再生装置の用途が一定以上の振動を伴う第１用途と一定以上の振動を伴わない第２用途とのいずれであるかを判別する判別手段と、
前記判別手段によって第１用途であると判別された場合に、第２用途での再生に適した第２モードとは利用する機能が異なる第１モードで、媒体に記録されたコンテンツ情報を読み取るための処理を実行してコンテンツ情報を読み取り、読み取ったコンテンツ情報を処理する再生制御手段と、
音声を出力する音声出力手段とを備え、
前記振動検出手段は、前記音声出力手段から出力される音声がない場合に、振動を検出し、振動検出情報を出力する
ことを特徴とする再生装置。
【請求項２】
前記再生制御手段は、媒体からコンテンツ情報を読み取るための処理においてサーボ信号を出力し、
前記振動検出手段は、サーボ信号を前記再生制御手段から取得し、取得したサーボ信号に基づいて閾値以上の大きさの振動を検出し、検出された振動回数を含む振動検出情報を出力する
ことを特徴とする請求項１に記載の再生装置。
【請求項３】
前記振動検出手段は、振動を検出するセンサを有し、前記センサからの信号に基づいて閾値以上の大きさの振動を検出し、検出された振動回数を含む振動検出情報を出力する
ことを特徴とする請求項１に記載の再生装置。
【請求項４】
前記再生制御手段は、前記振動検出手段が振動を検出する場合に、前記音声出力手段から音声が出力されないように制御する
ことを特徴とする請求項１に記載の再生装置。
【請求項５】
さらに、コンテンツ情報のうち、コンテンツに含まれる音声を示す音声情報を前記再生制御手段から取得し、取得した音声情報に基づいて、再生中のコンテンツに音声が含まれるか否かを判断する無音判断手段を備え、
前記振動検出手段は、前記無音判断手段によって音声が含まれないと判断された場合に、振動を検出し、振動検出情報を出力する
ことを特徴とする請求項１に記載の再生装置。
【請求項６】
前記振動検出手段は、前記再生制御手段が媒体に記録されたコンテンツ情報を読み取るための処理を実行する間に、振動を検出し、振動検出情報を出力する
ことを特徴とする請求項１に記載の再生装置。
【請求項７】
さらに、コンテンツの再生中であるか否かを示す再生情報を前記再生制御手段から取得し、取得した再生情報に基づいて、コンテンツの再生中であるか否かを判断する再生判断手段を備え、
前記振動検出手段は、前記再生判断手段によってコンテンツの再生中でないと判断された場合に、振動を検出し、振動検出情報を出力する
ことを特徴とする請求項１に記載の再生装置。
【請求項８】
前記判別手段は、
前記振動検出情報を取得し、閾値と取得した振動検出情報に含まれる振動回数とを比較する振動回数比較手段と、
前記振動回数比較手段による比較の結果、振動回数が閾値以上である場合に、第１用途であると決定する用途決定手段とを備える
ことを特徴とする請求項１から７のいずれか１項に記載の再生装置。
【請求項９】
前記振動検出手段は、検出された振動回数と振動を検出するためのサンプリング回数とを含む振動検出情報を出力し、
前記判別手段は、
前記振動検出情報に含まれる振動回数をサンプリング回数で除することによって、振動を検出した割合である振動検出率を算出し、算出した振動検出率を示す振動検出率情報を出力する検出率算出手段と、
前記振動検出率情報を取得し、取得した振動検出率と閾値とを比較する検出率比較手段と、
前記検出率比較手段による比較の結果、振動検出率が閾値以上である場合に、第１用途であると決定する用途決定手段とを備える
ことを特徴とする請求項１から７のいずれか１項に記載の再生装置。
【請求項１０】
記録装置の振動に関する振動検出情報を出力する振動検出手段と、
前記振動検出情報を取得し、取得した振動検出情報に基づいて、記録装置の用途が一定以上の振動を伴う第１用途と一定以上の振動を伴わない第２用途とのいずれであるかを判別する判別手段と、
前記判別手段によって第１用途であると判別された場合に、第２用途での記録に適した第２モードとは利用する機能が異なる第１モードでコンテンツ情報を生成し、生成したコンテンツ情報を媒体に記録するための制御を実行する記録制御手段と、
生成されたコンテンツ情報を前記記録制御手段から取得し、媒体にコンテンツ情報を記録する出力手段とを備える
ことを特徴とする記録装置。
【請求項１１】
再生装置から出力される音声がない場合に、再生装置に生じた振動を検出し、検出された振動回数を含む振動検出情報を出力し、
前記振動検出情報を取得し、取得した振動検出情報に含まれる振動回数に基づいて、再生装置の用途が一定以上の振動を伴う第１用途と一定以上の振動を伴わない第２用途とのいずれであるかを判別し、
第１用途であると判別された場合に、第２用途での再生に適した第２モードとは利用する機能が異なる第１モードで、媒体に記録されたコンテンツ情報を読み取るための処理を実行してコンテンツ情報を読み取り、読み取ったコンテンツ情報を処理する
ことを特徴とする再生方法。
【請求項１２】
記録装置の振動に関する振動検出情報を出力し、
前記振動検出情報を取得し、取得した振動検出情報に基づいて、記録装置の用途が一定以上の振動を伴う第１用途と一定以上の振動を伴わない第２用途とのいずれであるかを判別し、
第１用途であると判別された場合に、第２用途での記録に適した第２モードとは利用する機能が異なる第１モードでコンテンツ情報を生成し、生成したコンテンツ情報を媒体に記録するための制御を実行し、
生成されたコンテンツ情報を取得し、媒体にコンテンツ情報を記録する
ことを特徴とする記録方法。
【請求項１３】
再生装置から出力される音声がない場合に、再生装置に生じた振動を検出し、検出された振動回数を含む振動検出情報を出力し、
前記振動検出情報を取得し、取得した振動検出情報に含まれる振動回数に基づいて、再生装置の用途が一定以上の振動を伴う第１用途と一定以上の振動を伴わない第２用途とのいずれであるかを判別し、
第１用途であると判別された場合に、第２用途での再生に適した第２モードとは利用する機能が異なる第１モードで、媒体に記録されたコンテンツ情報を読み取るための処理を実行してコンテンツ情報を読み取り、読み取ったコンテンツ情報を処理することをコンピュータに実行させる
ことを特徴とするプログラム。
【請求項１４】
記録装置の振動に関する振動検出情報を出力し、
前記振動検出情報を取得し、取得した振動検出情報に基づいて、記録装置の用途が一定以上の振動を伴う第１用途と一定以上の振動を伴わない第２用途とのいずれであるかを判別し、
第１用途であると判別された場合に、第２用途での記録に適した第２モードとは利用する機能が異なる第１モードでコンテンツ情報を生成し、生成したコンテンツ情報を媒体に記録するための制御を実行し、
生成されたコンテンツ情報を取得し、媒体にコンテンツ情報を記録することをコンピュータに実行させる
ことを特徴とするプログラム。
【発明の詳細な説明】
【技術分野】
【０００１】
本発明は、媒体に記録されたコンテンツを再生する再生装置、コンテンツを媒体に記録する記録装置、再生方法、記録方法、及びプログラムに関する。
【背景技術】
【０００２】
ＢＤ（Ｂｌｕｅ−ｒａｙ  Ｄｉｓｃ）、ＤＶＤ（Ｄｉｇｉｔａｌ  Ｖｅｒｓａｔｉｌｅ  Ｄｉｓｃ）、ＣＤ（Ｃｏｍｐａｃｔ  Ｄｉｓｃ）等といった光ディスクに記録されたコンテンツを再生する再生装置や、光ディスクにコンテンツを記録する記録装置が提案されている（例えば、特許文献１参照。）。
【０００３】
光ディスクには種々の規格があり、随時新しい規格が定められる。例えば、ＢＤの場合、Ｐｒｏｆｉｌ１．１、Ｐｒｏｆｉｌｅ２．０などの規格（プロファイル）がある。Ｐｒｏｆｉｌ１．１は、Ｐｉｃｔｕｒｅ−ｉｎ−Ｐｉｃｔｕｒｅ、及びＶｉｒｔｕａｌ  Ｐａｃｋａｇｅを含むＢｏｎｕｓ  Ｖｉｅｗと言われる機能を提供する。Ｐｒｏｆｉｌｅ２．０は、ＢＤ−Ｊ  Ｎｅｔｗｏｒｋ  Ａｃｃｅｓｓ（Ｂｌｕ−ｒａｙ  Ｃｉｓｃ  Ｊａｖａ（登録商標））、及びＰｒｏｇｒｅｓｓｉｖｅ  Ｐｌａｙｌｉｓｔを含むＢＤ−Ｌｉｖｅと言われる機能を提供する。
【０００４】
再生装置や記録装置は、光ディスクの規格に適合するように製造される。しかし、新しい規格のコンテンツが記録された光ディスクを再生するためには、再生装置が保持するファームウェアを更新する必要がある。記録装置の場合も同様に、新しい規格に従ってコンテンツを光ディスクに記録するには、記録装置が保持するファームウェアを更新する必要がある。
【０００５】
例えば、ＢＤ再生装置の場合、新しいプロファイルに対応するための新たなファームウェアが月２回程度提供されるのが現状である。また、プロファイルの中には、Ｐｒｏｆｉｌ１．１のＶｉｒｔｕａｌ  Ｐａｃｋａｇｅのように、対応が必須とされるものもある。そのため、月１回程度の更新は必須である。ＢＤ再生装置のファームウェアの更新には、ＣＤ、ＤＶＤ、フラッシュメモリなどの記憶媒体を使用する方法が採用されてもよいが、更新頻度が高いため一般にネットワーク回線を介する方法が採用される。
【０００６】
また、新しい規格に対応するために、装置の構成に追加又は変更が必要とされる場合もある。上述のＶｉｒｔｕａｌ  Ｐａｃｋａｇｅに対応するには所定以上のメモリが必要である。そのため、そのメモリを備えないＢＤ再生装置の場合、ＢＤ再生装置の内部又は外部にメモリを追加する必要がある。
【先行技術文献】
【特許文献】
【０００７】
【特許文献１】特開２０１０−１４６６９５号公報
【発明の概要】
【発明が解決しようとする課題】
【０００８】
しかしながら、ＢＤのプロファイルには、ＢＤ再生装置の用途によっては事実上使用に適さない機能、又は使用頻度が低いと思われる機能も含まれている。そのような機能のために、ソフトウェア又はハードウェア上での対応をすることは、利用者又は開発者に余計な負担を強いることになるとともに、ＢＤ再生装置の構造の複雑化又は大型化をもたらすという問題がある。
【０００９】
例えば、ＢＤ再生装置の用途が車載用である場合、家庭用である場合に比べて、表示画面は小さく、その解像度も低い。そのため、Ｐｉｃｔｕｒｅ−ｉｎ−Ｐｉｃｔｕｒｅを利用したとしても、子画面に表示される文字や画像は潰れてしまい、利用者はそれらを認識できない。
【００１０】
また、ＢＤ再生装置が車載用である場合、Ｖｉｒｔｕａｌ  Ｐａｃｋａｇｅはあまり使用されないと考えられる。Ｖｉｒｔｕａｌ  Ｐａｃｋａｇｅに対応するには上述のように、大容量のメモリが必要となる。そのため、ＢＤ再生装置が大型化してしまう。車載用のＢＤ再生装置では、拡張メモリを外部に取り付けるためのスペースを確保することも困難である。
【００１１】
さらに、Ｐｉｃｔｕｒｅ−ｉｎ−Ｐｉｃｔｕｒｅ及びＶｉｒｔｕａｌ  Ｐａｃｋａｇｅのような複雑な処理に対応する場合、ファームウェアにおいて実行する処理も複雑になり、そのファイルサイズは大きくなる。そのようなファームウェアの更新及び開発に要するコストは大きい。
【００１２】
また、複雑な処理を実行するためには、高性能の演算装置、大容量のメモリ、消費電力の増加に対応できる電源、増加する発熱量を放出するための冷却ファンなどを搭載して、ＢＤ再生装置のスペックを向上させる必要がある。そのため、ＢＤ再生装置は複雑な構造となるか、又は大型化してしまう。
【００１３】
本発明は、上記の実情に鑑みなされたものであり、装置の用途に応じて、ファームウェアの更新を不要とし、又はその頻度を低減させるとともに、簡易な構造を有するコンパクトな再生装置などを提供することを目的とする。
【課題を解決するための手段】
【００１４】
上記の目的を達成するため、本発明の第１の観点に係る再生装置は、
再生装置に生じた振動を検出し、検出された振動回数を含む振動検出情報を出力する振動検出手段と、
前記振動検出情報を取得し、取得した振動検出情報に含まれる振動回数に基づいて、再生装置の用途が一定以上の振動を伴う第１用途と一定以上の振動を伴わない第２用途とのいずれであるかを判別する判別手段と、
前記判別手段によって第１用途であると判別された場合に、第２用途での再生に適した第２モードとは利用する機能が異なる第１モードで、媒体に記録されたコンテンツ情報を読み取るための処理を実行してコンテンツ情報を読み取り、読み取ったコンテンツ情報を処理する再生制御手段と、
音声を出力する音声出力手段とを備え、
前記振動検出手段は、前記音声出力手段から出力される音声がない場合に、振動を検出し、振動検出情報を出力することを特徴とする。
【００１６】
前記再生制御手段は、媒体からコンテンツ情報を読み取るための処理においてサーボ信号を出力し、
前記振動検出手段は、サーボ信号を前記再生制御手段から取得し、取得したサーボ信号に基づいて閾値以上の大きさの振動を検出し、検出された振動回数を含む振動検出情報を出力してもよい。
【００１７】
前記振動検出手段は、振動を検出するセンサを有し、前記センサからの信号に基づいて閾値以上の大きさの振動を検出し、検出された振動回数を含む振動検出情報を出力してもよい。
【００１９】
前記再生制御手段は、前記振動検出手段が振動を検出する場合に、前記音声出力手段から音声が出力されないように制御してもよい。
【００２０】
さらに、コンテンツ情報のうち、コンテンツに含まれる音声を示す音声情報を前記再生制御手段から取得し、取得した音声情報に基づいて、再生中のコンテンツに音声が含まれるか否かを判断する無音判断手段を備え、
前記振動検出手段は、前記無音判断手段によって音声が含まれないと判断された場合に、振動を検出し、振動検出情報を出力してもよい。
【００２１】
前記振動検出手段は、前記再生制御手段が媒体に記録されたコンテンツ情報を読み取るための処理を実行する間に、振動を検出し、振動検出情報を出力してもよい。
【００２２】
さらに、コンテンツの再生中であるか否かを示す再生情報を前記再生制御手段から取得し、取得した再生情報に基づいて、コンテンツの再生中であるか否かを判断する再生判断手段を備え、
前記振動検出手段は、前記再生判断手段によってコンテンツの再生中でないと判断された場合に、振動を検出し、振動検出情報を出力してもよい。
【００２３】
前記判別手段は、
前記振動検出情報を取得し、閾値と取得した振動検出情報に含まれる振動回数とを比較する振動回数比較手段と、
前記振動回数比較手段による比較の結果、振動回数が閾値以上である場合に、第１用途であると決定する用途決定手段とを備えてもよい。
【００２４】
前記振動検出手段は、検出された振動回数と振動を検出するためのサンプリング回数とを含む振動検出情報を出力し、
前記判別手段は、
前記振動検出情報に含まれる振動回数をサンプリング回数で除することによって、振動を検出した割合である振動検出率を算出し、算出した振動検出率を示す振動検出率情報を出力する検出率算出手段と、
前記振動検出率情報を取得し、取得した振動検出率と閾値とを比較する検出率比較手段と、
前記検出率比較手段による比較の結果、振動検出率が閾値以上である場合に、第１用途であると決定する用途決定手段とを備えてもよい。
【００２５】
また、本発明の第２の観点に係る記録装置は、
記録装置の振動に関する振動検出情報を出力する振動検出手段と、
前記振動検出情報を取得し、取得した振動検出情報に基づいて、記録装置の用途が一定以上の振動を伴う第１用途と一定以上の振動を伴わない第２用途とのいずれであるかを判別する判別手段と、
前記判別手段によって第１用途であると判別された場合に、第２用途での記録に適した第２モードとは利用する機能が異なる第１モードでコンテンツ情報を生成し、生成したコンテンツ情報を媒体に記録するための制御を実行する記録制御手段と、
生成されたコンテンツ情報を前記記録制御手段から取得し、媒体にコンテンツ情報を記録する出力手段とを備えることを特徴とする。
【００２６】
また、本発明の第３の観点に係る再生方法は、
再生装置から出力される音声がない場合に、再生装置に生じた振動を検出し、検出された振動回数を含む振動検出情報を出力し、
前記振動検出情報を取得し、取得した振動検出情報に含まれる振動回数に基づいて、再生装置の用途が一定以上の振動を伴う第１用途と一定以上の振動を伴わない第２用途とのいずれであるかを判別し、
第１用途であると判別された場合に、第２用途での再生に適した第２モードとは利用する機能が異なる第１モードで、媒体に記録されたコンテンツ情報を読み取るための処理を実行してコンテンツ情報を読み取り、読み取ったコンテンツ情報を処理することを特徴とする。
【００２７】
また、本発明の第４の観点に係る記録方法は、
記録装置の振動に関する振動検出情報を出力し、
前記振動検出情報を取得し、取得した振動検出情報に基づいて、記録装置の用途が一定以上の振動を伴う第１用途と一定以上の振動を伴わない第２用途とのいずれであるかを判別し、
第１用途であると判別された場合に、第２用途での記録に適した第２モードとは利用する機能が異なる第１モードでコンテンツ情報を生成し、生成したコンテンツ情報を媒体に記録するための制御を実行し、
生成されたコンテンツ情報を取得し、媒体にコンテンツ情報を記録することを特徴とする。
【００２８】
また、本発明の第５の観点に係るプログラムは、
再生装置から出力される音声がない場合に、再生装置に生じた振動を検出し、検出された振動回数を含む振動検出情報を出力し、
前記振動検出情報を取得し、取得した振動検出情報に含まれる振動回数に基づいて、再生装置の用途が一定以上の振動を伴う第１用途と一定以上の振動を伴わない第２用途とのいずれであるかを判別し、
第１用途であると判別された場合に、第２用途での再生に適した第２モードとは利用する機能が異なる第１モードで、媒体に記録されたコンテンツ情報を読み取るための処理を実行してコンテンツ情報を読み取り、読み取ったコンテンツ情報を処理することをコンピュータに実行させることを特徴とする。
【００２９】
また、本発明の第６の観点に係るプログラムは、
記録装置の振動に関する振動検出情報を出力し、
前記振動検出情報を取得し、取得した振動検出情報に基づいて、記録装置の用途が一定以上の振動を伴う第１用途と一定以上の振動を伴わない第２用途とのいずれであるかを判別し、
第１用途であると判別された場合に、第２用途での記録に適した第２モードとは利用する機能が異なる第１モードでコンテンツ情報を生成し、生成したコンテンツ情報を媒体に記録するための制御を実行し、
生成されたコンテンツ情報を取得し、媒体にコンテンツ情報を記録することをコンピュータに実行させることを特徴とする。
【発明の効果】
【００３０】
本発明によれば、再生装置又は記録装置は、振動に関する振動検出情報に基づいて用途を判別し、用途が一定以上の振動を伴う第１用途であると判別した場合には、第２モードとは利用する機能が異なる第１モードでコンテンツを再生又は記録することができる。
【００３１】
第１モードでは第２モードとは利用する機能が異なるため、第１用途であると判別された場合には、ファームウェアを更新する必要がないようにすること、又はファームウェアを更新する頻度を低減させることが可能になる。また、第１モードでは、第２モードを用いる場合よりも低スペックの再生装置又は記録装置で処理できるように設定することができる。したがって、再生装置又は記録装置の構造の簡易化とコンパクト化が可能になる。
【図面の簡単な説明】
【００３２】
【図１】本発明の第１実施形態に係るＢＤ再生装置の構成を示す図である。
【図２】モード情報記憶部に記憶されたモード情報の一例を示す図である。
【図３】第１実施形態に係る振動検出部の詳細な構成を示す図である。
【図４】第１実施形態に係る判別部の詳細な構成を示す図である。
【図５】第１実施形態に係るＢＤ再生装置が実行する処理のフローチャートである。
【図６】第１実施形態に係る振動検出処理の詳細を示すフローチャートである。
【図７】第１実施形態に係る用途判別処理の詳細を示すフローチャートである。
【図８】本発明の第２実施形態に係るＢＤ再生装置の構成を示す図である。
【図９】第２実施形態に係るＢＤ再生装置が実行する処理のフローチャートである。
【図１０】本発明の第３実施形態に係るＢＤ再生装置が実行する処理のフローチャートである。
【図１１】本発明の第４実施形態に係るＢＤ再生装置の構成を示す図である。
【図１２】本発明の第６実施形態に係るＢＤ再生装置の構成を示す図である。
【図１３】第６実施形態に係るＢＤ再生装置が実行する処理のフローチャートである。
【図１４】本発明の第７実施形態に係るＢＤ再生装置の構成を示す図である。
【図１５】第７実施形態に係る振動検出部の詳細な構成を示す図である。
【図１６】第７実施形態に係る判別部の詳細な構成を示す図である。
【図１７】第７実施形態に係るＢＤ再生装置が実行する処理のフローチャートである。
【図１８】第７実施形態に係る振動検出処理の詳細を示すフローチャートである。
【図１９】第７実施形態に係る用途判別処理の詳細を示すフローチャートである。
【図２０】本発明に係るＢＤ記録装置が備える構成の一例を示す図である。
【図２１】本発明に係るＢＤ再生装置の物理的構成の一例を示す図である。
【図２２】本発明に係るＢＤ記録装置の物理的構成の一例を示す図である。
【発明を実施するための形態】
【００３３】
以下、本発明の実施形態について、図面を参照しながら説明する。なお、全図を通じて、同一の構成要素及び処理には同一の符号を付す。また、全実施形態を通じて、同一の構成要素及び処理について重複する説明は省略する。
【００３４】
（第１実施形態）
本発明の第１実施形態に係るＢＤ（Ｂｌｕｅ−ｒａｙ  Ｄｉｓｃ）再生装置１００について、図１〜図７を参照して説明する。
【００３５】
ＢＤ再生装置１００は、媒体としてのＢＤに記録されたコンテンツ情報が示すコンテンツを再生する装置であって、コンテンツを読み取るための処理を実行する時に生成されるサーボ信号を用いて振動を検出し、検出した振動回数に基づいて用途を判別する。
【００３６】
ＢＤ再生装置１００は、図１に示すように、判別情報記憶部１０１と、モード情報記憶部１０２とを備える。各記憶部１０１，１０２は、ハードディスク、フラッシュメモリなどの記憶媒体により実現される。
【００３７】
判別情報記憶部１０１は、判別情報１０１ａを記憶している。判別情報１０１ａは、ＢＤ再生装置１００により判別されたＢＤ再生装置１００の用途を示す情報である。本実施形態では用途として、一定以上の振動を伴う用途である搬送用（第１用途）と、一定以上の振動を伴わない用途である据置用（第２用途）を例に説明する。
【００３８】
ここで、据置用とは、一般家庭、オフィスなどで一定の位置にＢＤ再生装置１００を設置して使用する用途である。搬送用とは、携帯用、車載用など搬送して使用する用途である。車載用の場合、ＢＤ再生装置１００はカーナビゲーションシステムなどに組み込まれていてもよい。
【００３９】
図１には、判別情報記憶部１０１が判別情報１０１ａとして「搬送用」を示す情報を記憶している例を示す。
【００４０】
モード情報記憶部１０２は、ＢＤ再生装置１００の用途に適したコンテンツの再生方式（モード）を示すモード情報１０２ａを記憶している。モードは、利用者などによってＢＤ再生装置１００が判別する用途に応じて予め定められ、それを示すモード情報１０２ａとしてモード情報記憶部１０２に予め記憶される。
【００４１】
本実施形態のモード情報１０２ａは、図２に示すように、搬送用に適した再生方式である搬送用モード（第１モード）を示す情報と、据置用に適した再生方式である据置用モード（第２モード）を示す情報とを含む。
【００４２】
据置用モードは、ＢＤの全プロファイルに含まれる機能のすべてを利用できる再生方式である。搬送用モードは、利用できる機能が据置用モードよりも制限された再生方式の一例であり、ＢＤの全プロファイルに含まれる機能のうち、Ｂｏｎｕｓ  Ｖｉｅｗを用いた再生を制限した再生方式である。
【００４３】
図１に戻り、ＢＤ再生装置１００は、さらに、再生制御部１０３と、振動検出部１０４と、判別部１０５と、入力受付部１０６とを備える。各処理部１０３〜１０６は例えば、コンピュータプログラムを実行するプロセッサなどによって実現される。
【００４４】
再生制御部１０３は、ＢＤ１０７に記録されたコンテンツ情報をＢＤ１０７から読み取るための処理を実行してコンテンツ情報を読み取る。ＢＤ１０７からコンテンツ情報を読み取るための処理には、フォーカスサーボ、トラッキングサーボ、ＢＤ１０７の回転制御などを含む。
【００４５】
また、再生制御部１０３は、判別情報記憶部１０１に記憶された判別情報１０１ａとモード情報記憶部１０２に記憶されたモード情報１０２ａとを参照し、判別情報１０１ａに対応するモード情報１０２ａを特定する。再生制御部１０３は、特定したモード情報１０２ａが示すモードに従って、読み取ったコンテンツ情報を処理する。コンテンツ情報の処理は、モニタ、スピーカなどで出力可能な形式の情報をコンテンツ情報から生成する処理、生成した情報の出力を制御する処理などを含む。生成した情報の出力を制御する処理には、例えば音量調整処理がある。
【００４６】
振動検出部１０４は、再生制御部１０３からサーボ信号を取得し、取得したサーボ信号に基づいてＢＤ再生装置１００に生じた振動を検出し、振動検出時間ＶＤＴに検出された振動回数ＮＶを含む振動検出情報を出力する。
【００４７】
振動検出部１０４は例えば、コンパレータを備える。コンパレータは、サーボ信号を取得し、閾値を超える振動がサーボ信号に含まれた場合に、振動を検出したことを示す信号を出力する。振動検出部１０４は、コンパレータから上記の信号が所定の振動検出時間ＶＤＴに出力された回数をカウントする。これによって、振動回数ＮＶが算出される。
【００４８】
振動検出部１０４はさらに、例えば数十から数百ヘルツの信号を通過させるバンドパスフィルタを備え、コンパレータがバンドパスフィルタを介してサーボ信号を取得してもよい。これによって、範囲外の周波数の振動は振動回数ＮＶに含まれず、ノイズを除いた振動回数ＮＶを算出することが可能になる。
【００４９】
サーボ信号は、コンテンツ情報をＢＤ１０７から読み取るために再生制御部１０３によって生成される信号であって、例えばトラッキングエラー（ＴＥ）信号である。なお、サーボ信号は、フォーカスエラー（ＦＥ）信号、コンテンツ再生時の高周波（ＲＦ）信号などであってもよい。
【００５０】
なお、コスト面ではサーボ信号を用いて振動を検出することが好ましいが、別途振動センサを用いて振動を検出するようにしてもよい（第４〜第６実施形態参照）。
【００５１】
図３に振動検出部１０４の詳細を示す。振動検出部１０４は、振動回数記憶部１１１を備える。振動回数記憶部１１１は、検出された振動回数ＮＶを示す振動回数情報を記憶しており、ＲＡＭ（Ｒａｎｄｏｍ  Ａｃｃｅｓｓ  Ｍｅｍｏｒｙ）などによって実現される。
【００５２】
また、振動検出部１０４は、タイマ１１２と、初期化部１１３と、サンプリング部１１４と、信号比較部１１５と、インクリメント部１１６とを備える。
【００５３】
タイマ１１２は、振動検出時間ＶＤＴを計測する。タイマ１１２は例えば、ＢＤ再生装置１００のプロセッサなどで生成されるクロック信号を用いて実現される。
【００５４】
初期化部１１３は、振動を検出するための初期化処理として、タイマ１１２を起動するとともに、振動回数記憶部１１１が記憶している振動回数情報をリセットする。
【００５５】
サンプリング部１１４は、振動検出時間ＶＤＴとして予め設定された時間Ｔ１（ミリ秒）の間、再生制御部１０３からサーボ信号を取得し、取得したサーボ信号に基づいて振動検出用信号ＴＳＨＯＣＫを生成する。
【００５６】
振動検出用信号ＴＳＨＯＣＫは例えば、振動検出時間ＶＤＴに取得するサーボ信号のうち、サンプリング時間ＳＴ（ミリ秒）分のサーボ信号をバンドパスフィルタに通すことによって生成される。この場合、振動検出用信号ＴＳＨＯＣＫは所定周波数成分の大きさを示す信号となる。
【００５７】
信号比較部１１５は、各振動検出用信号ＴＳＨＯＣＫが示す大きさと予め設定された閾値ＴＶ１（ｍＶ）とを比較し、比較結果を示す情報を出力する。
【００５８】
インクリメント部１１６は、信号比較部１１５から比較結果を示す情報を取得する。振動検出用信号ＴＳＨＯＣＫの大きさが閾値ＴＶ１以上である場合に、インクリメント部１１６は、振動回数記憶部１１１に記憶された振動回数情報が示す振動回数ＮＶをインクリメントする。これにより、振動回数情報が示す振動回数ＮＶは、振動検出時間ＶＤＴに検出されたＢＤ再生装置１００の振動回数を示すことになる。
【００５９】
各処理部１１３〜１１６は、コンピュータプログラムを実行するプロセッサなどにより実現される。
【００６０】
次に図１に示す判別部１０５は、振動回数情報を振動検出部１０４から取得し、取得した振動回数情報に基づいてＢＤ再生装置１００の用途が据置用と搬送用のいずれであるかを判別し、判別結果を示す情報を出力する。
【００６１】
判別部１０５は、図４に示すように、振動回数比較部１２１と、用途決定部１２２とを備える。
【００６２】
振動回数比較部１２１は、振動回数記憶部１１１に記憶された振動回数情報を振動検出部１０４のインクリメント部１１６から取得し、取得した振動回数情報が示す振動回数ＮＶと予め設定された閾値ＴＶ２とを比較し、比較結果を示す情報を出力する。
【００６３】
用途決定部１２２は、振動回数比較部１２１から取得した情報が示す比較結果に基づいて、ＢＤ再生装置１００の用途が「据置用」と「搬送用」のいずれであるかを決定する。具体的には、用途決定部１２２は、振動回数ＮＶが閾値ＴＶ２以上である場合に、搬送用であると決定し、振動回数ＮＶが閾値ＴＶ２未満である場合に、据置用であると決定する。また、用途決定部１２２は、決定内容を示す情報を判別情報記憶部１０１及び再生制御部１０３に出力する。
【００６４】
各処理部１２１〜１２３は、コンピュータプログラムを実行するプロセッサなどにより実現される。
【００６５】
ここから再び、図１の説明に戻る。
入力受付部１０６は、リモコン、ＢＤ再生装置１００が備えるボタンなど（図示せず）を利用者などが操作することによって入力された信号を受け付けて、受け付けた信号を出力する。
【００６６】
出力部１０８は、再生制御部１０３によって処理されたコンテンツ情報を再生制御部１０３から取得し、コンテンツを出力する。出力部１０８は、例えば画像を出力する画像出力部１０９としてのモニタ、音声を出力する音声出力部１１０としてスピーカなどを含む。
【００６７】
このように構成されたＢＤ再生装置１００によって、振動を検出し、検出した振動回数ＮＶに基づいて用途が据置用と搬送用のいずれであるかを判別し、判別した用途に応じたモードでＢＤ１０７に記録されたコンテンツを再生することができる。
【００６８】
ここから、ＢＤ再生装置１００が実行する処理について図５〜７を参照して説明する。図５は、ＢＤ再生装置１００が実行する処理の概要を示す。
【００６９】
入力受付部１０６は、利用者の操作に基づく再生開始指示を示す信号を受け付ける（ステップＳ１０１）。
【００７０】
再生制御部１０３は、再生開始指示を示す信号を受け付けた入力受付部１０６からの指示を受けて、ＢＤ１０７からコンテンツ情報を読み取るための処理を実行する。続けて、再生制御部１０３は、コンテンツ情報を読み取り、読み取ったコンテンツ情報を処理する。このとき、再生制御部１０３は、出力部１０８がコンテンツを無音で出力するようにコンテンツ情報を処理する（無音再生処理，ステップＳ１０２）。
【００７１】
ここで、コンテンツを無音で出力する方法は、いかなる方法であってもよいが、例えば音量をゼロにする（ｍｕｔｅ）方法、音声出力部１１０への音声信号の出力を遮断する方法などがある。コンテンツを無音で出力することによって、音声による振動がＢＤ再生装置１００の振動検出に与える影響をなくすことが可能になる。
【００７２】
振動検出部１０４は、ＢＤ１０７からコンテンツ情報を読み取るための処理において生成されるサーボ信号を再生制御部１０３から取得し、取得したサーボ信号に基づいて振動を検出し、振動検出時間ＶＤＴに検出された振動回数ＮＶを含む振動検出情報を出力する（ステップＳ１０３）。
【００７３】
ここから、図６を参照して、振動検出処理（ステップＳ１０３）の詳細を説明する。
【００７４】
初期化部１１３は、振動回数記憶部１１１に記憶された振動回数情報が示す振動回数ＮＶを０にリセットし、タイマ１１２を起動させる（ステップＳ１１１）。
【００７５】
サンプリング部１１４は、タイマ１１２を参照しながら、振動検出時間ＶＤＴがＴ１（ミリ秒）になるまでの間（ステップＳ１１２）、再生制御部１０３からＴＥ信号を取得し、取得したＴＥ信号に基づいて振動検出用信号ＴＳＨＯＣＫを生成する（ステップＳ１１３）。
【００７６】
振動検出用信号ＴＳＨＯＣＫは、上述のように例えばＴＥ信号に含まれる特定周波数成分の信号であって、予め設定されたサンプリング時間ＳＴ（ミリ秒）分のＴＥ信号をバンドパスフィルタに通過させることによって生成される。
【００７７】
次に、信号比較部１１５は、振動検出用信号ＴＳＨＯＣＫの大きさと予め設定された閾値ＴＶ１とを比較し、比較結果に応じた情報を出力する（ステップＳ１１４）。詳細には、振動検出用信号ＴＳＨＯＣＫの大きさが閾値ＴＶ１以上である場合（ステップＳ１１４；Ｙｅｓ）、信号比較部１１５は、その判断結果を示す情報をインクリメント部１１６に出力する。振動検出用信号ＴＳＨＯＣＫが閾値ＴＶ１未満である場合（ステップＳ１１４；Ｎｏ）、サンプリング部１１４にサンプリング処理（ステップＳ１１３）を継続させるための情報を出力する。
【００７８】
インクリメント部１１６は、振動検出用信号ＴＳＨＯＣＫの大きさが閾値ＴＶ１以上であることを示す情報を取得すると、振動回数記憶部１１１に記憶された振動回数情報を取得する。続けて、インクリメント部１１６は、取得した振動回数情報が示す振動回数ＮＶに１を加算し、加算後の振動回数ＮＶを示す情報を振動回数情報として振動回数記憶部１１１に記憶させる（ステップＳ１１５）。
【００７９】
このようにして、振動検出時間ＶＤＴがＴ１になるまでの間、サンプリング処理（ステップＳ１１３）が実行され、サンプリングされたＴＥ信号に基づく、信号比較処理（ステップＳ１１４）及び振動回数ＮＶのインクリメント処理（ステップＳ１１５）が実行される。
【００８０】
続けて、インクリメント部１１６は、タイマ１１２から信号比較部１１５を介して振動検出時間ＶＤＴがＴ１になったことを示す情報を取得すると、振動回数記憶部１１１から振動回数情報を取得する。インクリメント部１１６は、取得した振動回数情報を含む振動検出情報を出力する（ステップＳ１１６）。これにより、振動検出処理（ステップＳ１０３）が終了する。
【００８１】
再び図５を参照して、判別部１０５は、振動回数情報を含む振動検出情報を振動検出部１０４のインクリメント部１１６から取得し、取得した情報に基づいてＢＤ再生装置１００の用途を判別し、判別結果を示す情報を出力する（ステップＳ１０４）。
【００８２】
ここから、図７を参照して、用途判別処理（ステップＳ１０４）の詳細を説明する。
【００８３】
振動回数比較部１２１は、振動検出情報をインクリメント部１１６から取得し（ステップＳ１２１）、取得した振動検出情報に含まれる振動回数ＮＶと予め設定された閾値ＴＶ２とを比較し、比較結果を示す情報を出力する（ステップＳ１２２）。
【００８４】
用途決定部１２２は、比較結果情報を取得し、当該情報に含まれる比較結果において振動回数ＮＶが閾値ＴＶ２以上である場合（ステップＳ１２２；Ｙｅｓ）、ＢＤ再生装置１００の用途が搬送用であると決定する（ステップＳ１２３）。また、用途決定部１２２は比較結果において振動回数ＮＶが閾値ＴＶ２未満である場合（ステップＳ１２２；Ｎｏ）、ＢＤ再生装置１００の用途が据置用であると決定する（ステップＳ１２４）。
【００８５】
用途決定部１２２は、決定した用途を示す判別情報を出力する（ステップＳ１２５）。すなわち、用途決定部１２２は、振動回数ＮＶが閾値ＴＶ２以上である場合（ステップＳ１２２；Ｙｅｓ）には搬送用であることを示す判別情報を、振動回数ＮＶが閾値ＴＶ２未満である場合（ステップＳ１２２；Ｎｏ）には用途が据置用であることを示す判別情報を再生制御部１０３に出力し、判別情報記憶部１０１に記憶させる。
【００８６】
ここから、再び図５の説明に戻る。
再生制御部１０３は、判別部１０５又は判別情報記憶部１０１から判別情報１０１ａを取得し、モード情報記憶部１０２を参照することによって、取得した判別情報１０１ａに対応するモード情報１０２ａを取得する。再生制御部１０３は、取得したモード情報１０２ａが示すモードに従って、コンテンツの通常再生処理を行う（ステップＳ１０５）。ここで、通常再生処理とは、無音再生処理（ステップＳ１０２）とは異なり、利用者が定めた音量での音声出力を伴うようにコンテンツ情報を処理することをいう。
【００８７】
再生制御部１０３は、入力受付部１０６からの指示に基づいて、再生終了指示を受け付けたか否かを判断する（ステップＳ１０６）。
【００８８】
再生制御部１０３は、入力受付部１０６から再生終了指示を受け付けていないと判断した場合（ステップＳ１０６；Ｎｏ）、再生制御部１０３は通常再生処理（ステップＳ１０５）を継続する。
【００８９】
また、再生制御部１０３は、入力受付部１０６から再生終了指示を受け付けたと判断した場合（ステップＳ１０６；Ｙｅｓ）、再生制御部１０３は処理を終了する。
【００９０】
なお、無音再生処理（ステップＳ１０２）から用途判別処理（ステップＳ１０４）までの一連の処理は、サーボ信号を取得できる時であれば、どのようなタイミングで実行されてもよいが、本実施形態で説明したタイミングが望ましい。
【００９１】
すなわち、ＢＤ再生装置１００は、図５に示すように、再生開始指示受付処理（ステップＳ１０１）の直後に、無音再生処理（ステップＳ１０２）と振動検出処理（ステップＳ１０３）と用途判別処理（ステップＳ１０４）とを順次実行する。再生開始指示受付処理（ステップＳ１０１）の直後は、例えばＢＤ１０７のスピンアップ処理など、コンテンツ情報をＢＤ１０７から読み取るための処理が実行される。そのため、この時は音声が出力されない。本実施形態のタイミングで、無音再生処理（ステップＳ１０２）から用途判別処理（ステップＳ１０４）までの一連の処理を実行することによって、無音再生処理（ステップＳ１０２）によって再生中のコンテンツの音声が途切れることを防ぐことができる。
【００９２】
これまで説明したように、本実施形態に係るＢＤ再生装置１００は、ＢＤ１０７のコンテンツを再生する指示を受けて、サーボ信号を利用して振動を検出する。サーボ信号は一般のＢＤ再生装置においてコンテンツを再生するために生成される信号である。そのため、ＢＤ再生装置１００は、振動を検出するために新たなセンサなどを設ける必要がない。したがって、振動を検出し、用途を判別できるＢＤ再生装置１００を簡易かつコンパクトな構成で実現することが可能になる。
【００９３】
また、ＢＤ再生装置１００は、音声出力がない状態で振動を検出するため、音声出力による振動の影響を受けずに振動を検出することができる。そのため、ＢＤ再生装置１００の振動を正確に検出することが可能になる。
【００９４】
さらに、据置用であっても、微少な振動が生じることはありうる。ＢＤ再生装置１００は、閾値ＴＶ１以上の大きさの振動が生じた場合を振動として検出するため、微少な振動による用途判別の誤りを防ぐことができる。
【００９５】
さらに、据置用であっても、地震が発生した場合、設置が不安定であった場合などに、ある程度大きな振動が生じることはありうる。もっとも、据置用で大きな振動が生じることは稀である。振動が検出された回数が閾値ＴＶ２以上である場合に搬送用と判別するため、据置用のＢＤ再生装置１００に生じた偶発的な振動によって判別を誤ることを防止することができる。
【００９６】
さらに、本実施形態では、ＢＤ１０７のコンテンツを再生する指示を受けた後に、振動検出処理（ステップＳ１０３）及び用途判別処理（ステップＳ１０４）が実行される。ＢＤ再生装置１００を利用している時、すなわち利用者がコンテンツを再生する指示を入力する時には、搬送用のＢＤ再生装置１００であれば、搬送に伴う振動が生じていることが多い。これに対して、上述のような大きな振動が据置用のＢＤ再生装置１００に生じていることは殆どない。したがって、コンテンツを再生する指示を入力する時に、振動を検出し、用途を判別することによって、用途の判別を正確にすることが可能になる。
【００９７】
さらに、本実施形態に係るＢＤ再生装置１００は、振動検出情報に基づいて、用途が据置用と搬送用とのいずれであるかを判断し、判断された用途に応じて、据置用モードと搬送用モードとのいずれかのモードでＢＤ１０７の再生処理を行う。そして、本実施形態において説明したように、搬送用モードでは、据置用モードにおいて利用できる機能の一部が制限される。
【００９８】
搬送用のＢＤ再生装置１００は、車に載せられ、携帯されるなど搬送して使用される。そのため、搬送用のＢＤ再生装置１００は一般に、据置用のものに比べて、画面が小さく、また画像処理などの処理能力も乏しいものが多い。そのため、搬送用モードでは、例えばＢｏｎｕｓ  Ｖｉｅｗのように、ＢＤ再生装置１００に掛かる処理負荷が大きくなる一方で、小さな画面では実益が乏しい機能が制限される。これに対し、家庭で用いるなどの据置用では、すべての機能に対応できるモードが望ましい。
【００９９】
このように、本実施形態に係るＢＤ再生装置１００によれば、ＢＤ再生装置１００の用途に適したモードでＢＤ１０７に含まれるコンテンツを再生することが可能になる。
【０１００】
機能が制限された搬送用モードでは、少なくとも制限された機能に関するファームウェアを更新する必要がなくなる。そのため、搬送用のＢＤ再生装置１００のファームウェアを更新する必要をなくすこと、又は軽減することが可能になる。そして、基本的な簡易再生機能のみで再生処理を行うことができるため、ディスク再生の互換性が向上する。
【０１０１】
さらに、機能が制限された搬送用モードでは、例えば新しいプロファイルに対応しないように設定されてもよい。これによって、新しいプロファイルの機能を利用するコンテンツが記録されたＢＤであっても、本実施形態に係るＢＤ再生装置１００が搬送用である場合、その機能の利用は制限される。そのため、ファームウェアを更新しなくても、新しいプロファイルの機能を利用するコンテンツを、その機能が制限された下で視聴することが可能になる。したがって、搬送用のＢＤ再生装置１００のファームウェアを更新する必要をなくすこと、又は軽減することが可能になる。
【０１０２】
仮にＢＤ再生装置の用途を予め設定しておくことにすると、実際の用途が搬送用であるにもかかわらず、ＢＤ再生装置が誤って据置用モードで再生しようとすることが起こりうる。搬送用モードでの再生にファームウェアなどが対応していない場合、新しいプロファイルの機能を利用するコンテンツは再生できないことになる。本実施形態に係るＢＤ再生装置１００では、用途を確実に判別できため、実際の用途を正確に判断して、用途に適したモードでコンテンツを再生することが可能になる。
【０１０３】
（第２実施形態）
本発明の第２実施形態に係るＢＤ再生装置２００は、第１実施形態に係るＢＤ再生装置１００と同様に、音声出力がない状態で振動検出して用途を判別するＢＤ再生装置である。ＢＤ再生装置２００は、ＢＤ再生装置１００が実行する無音再生処理に代えて無音判断処理を実行する。すなわち、ＢＤ再生装置２００は、通常再生中に無音であるか否かを判断して、無音であると判断した場合に振動検出処理及び用途判別処理を実行する。
【０１０４】
本実施形態に係るＢＤ再生装置２００は、図８に示すように、ＢＤ再生装置１００と概ね同様の構成を備えており、ＢＤ再生装置１００が備える構成要素に加えて、無音判断部２０１を備える。無音判断部２０１は、再生制御部１０３からＢＤ１０７のコンテンツに含まれる音声部分を示す音声情報を取得し、音声情報に基づいて無音であるか否かを判断する。
【０１０５】
次に、ＢＤ再生装置２００が実行する処理について、図９を参照して説明する。
【０１０６】
再生制御部１０３は、入力受付部１０６から出力される信号を受けて、通常再生処理（ステップＳ１０５）を実行する。
【０１０７】
無音判断部２０１は、再生制御部１０３から再生中のコンテンツの音声情報を取得する（ステップＳ２０１）。続けて、無音判断部２０１は、取得した音声情報に含まれる音声がない（無音である）か否かを判断する（ステップＳ２０２）。
【０１０８】
無音判断部２０１が無音であると判断した場合（ステップＳ２０２；Ｙｅｓ）、振動検出部１０４は振動検出処理（ステップＳ１０３）を実行する。無音判断部２０１が無音でないと判別した場合（ステップＳ２０２；Ｎｏ）、再生制御部１０３は、再生終了指示を受け付けたか否かの判断処理（ステップＳ１０６）を実行する。
【０１０９】
ＢＤ再生装置２００は再生中の音声がない間に振動を検出するため、無音化することによって再生中のコンテンツの音声を途切れさせることなく振動を検出することができる。したがって、再生させるべき音声が再生されないということがなくなり、快適な視聴を実現することが可能になる。
【０１１０】
（第３実施形態）
本発明の第３実施形態に係るＢＤ再生装置は、ＢＤ再生装置１００及びＢＤ再生装置２００と同様に、音声出力がない状態で振動検出して用途を判別するＢＤ再生装置である。本実施形態に係るＢＤ再生装置は、第１実施形態に係るＢＤ再生装置１００と同様の構成を備える。そのため、本実施形態に係るＢＤ再生装置の構成を示す図及びその構成の説明は省略する。
【０１１１】
本実施形態に係るＢＤ再生装置は、振動検出処理及び用途判別処理を実行する時期に特徴がある。第３実施形態に係るＢＤ再生装置が実行する処理について、図１０を参照して説明する。
【０１１２】
再生制御部１０３は、ＢＤ１０７からコンテンツ情報を読み取るための処理の１つであるスピンアップ処理（ステップＳ３０１）を実行する。スピンアップ処理（ステップＳ３０１）において、再生制御部１０３は、ＢＤ１０７の回転を制御するとともに、ＴＥ信号などのサーボ信号を生成して、出力する。
【０１１３】
なお、スピンアップ処理（ステップＳ３０１）は、ＢＤ再生装置の電源が投入された時、利用者の操作に基づく再生開始指示を入力受付部１０６が受け付けた時など、いずれのタイミングで実行されてもよい。
【０１１４】
続けて、振動検出部１０４が振動検出処理（ステップＳ１０３）を実行し、判別部１０５が用途判別処理（ステップＳ１０４）を実行し、再生制御部１０３が通常再生処理（ステップＳ１０５）を実行し、再生制御部１０３が再生終了指示の受付判断処理（ステップＳ１０６）を実行する。
【０１１５】
このように、本実施形態に係るＢＤ再生装置は、スピンアップ処理（ステップＳ３０１）中に振動判断処理（ステップＳ１０３）及び用途判別処理（ステップＳ１０４）を実行する。スピンアップ処理（ステップＳ３０１）は読み取ったコンテンツ情報を処理する前に実行されるため、出力部１０８はコンテンツを出力しない。したがって、音声出力がない状態で振動を検出することができ、音声による振動の影響を受けることなく、正確に振動を検出することが可能になる。
【０１１６】
本実施形態によれば、音量をなくす処理及び無音であるか否かを判断する処理が不要になり、正確に振動を検出するための処理を簡易にすることが可能になる。
【０１１７】
（第４実施形態）
本発明の第４実施形態に係るＢＤ再生装置は、第１実施形態に係るＢＤ再生装置１００と同様に、用途を判別し、その判別した用途に応じたモードでＢＤを再生する装置である。本実施形態に係るＢＤ再生装置は、振動を検知するセンサを備える点で、第１実施形態に係るＢＤ再生装置と異なる。
【０１１８】
ＢＤ再生装置４００は、図１１に示すように、ＢＤ再生装置１００が備える構成要素に加えてセンサ４４１を備え、また、第１実施形態に係る振動検出部１０４に代えて振動検出部４０４を備える。
【０１１９】
センサ４４１は、振動を検出することが可能なセンサであって、例えば、加速度センサ、角速度（ジャイロ）センサである。センサ４４１は、検出した振動の大きさを示す信号（センサ検知信号）を出力する。
【０１２０】
振動検出部４０４は、第１実施形態に係る振動検出部１０４と同様の構成を有し、信号に基づいて振動を検出し、振動検出時間ＶＤＴに検出された振動回数ＮＶを含む振動検出情報を出力する。振動検出部４０４は、第１実施形態に係る振動検出部１０４と異なり、センサ４４１からセンサ検知信号を取得し、センサ検知信号に基づいて振動回数情報を生成する。
【０１２１】
ＢＤ再生装置４００が実行する処理は、図５〜７を参照して説明したＢＤ再生装置１００が実行する処理と同様である。ただし、振動検出処理（ステップＳ１０３）において、振動検出部４０４の初期化部（図示せず）は、無音再生処理（ステップＳ１０２）を実行する再生制御部１０３からの信号をトリガとして振動検出初期化処理（ステップＳ１１１）を実行する。また、振動検出処理（ステップＳ１０３）において、振動検出部４０４のサンプリング部は、センサ４４１から取得したセンサ検知信号に基づいてサンプリング処理（ステップＳ１１３）を実行する。
【０１２２】
このように、ＢＤ再生装置４００はセンサ４４１を備えるため、再生制御部１０３からの信号を用いることなく、振動を検出することができる。また、無音再生処理（ステップＳ１０２）を実行する再生制御部１０３からの信号をトリガとすることによって、音声出力がない状態で振動を検出することができる。これによって、音声出力による振動の影響を受けずに、振動を検出することが可能になる。
【０１２３】
（第５実施形態）
本発明の第５実施形態に係るＢＤ再生装置は、第４実施形態に係るＢＤ再生装置４００が備える構成要素に加えて、第２実施形態に係るＢＤ再生装置２００の無音判断部２０１を備える（図８及び図１１参照）。また、本実施形態に係るＢＤ再生装置は、第２実施形態に係るＢＤ再生装置２００と同様の処理を実行する（図９参照）。
【０１２４】
すなわち、第５実施形態に係るＢＤ再生装置は、コンテンツの再生中に、無音判断部（２０１）が音声情報に基づいて再生中のコンテンツが無音であるか否かを判断し（ステップＳ２０２）、無音であると判断した場合に（ステップＳ２０２；Ｙｅｓ）、振動検出部（４０４）が振動検出処理（ステップＳ１０３）を実行する。
【０１２５】
本実施形態によれば、センサ４４１を備えるＢＤ再生装置によっても、再生中の音声がない間に振動を検出することができる。そのため、無音化することによって再生中のコンテンツの音声を途切れさせることなく振動を検出することができる。したがって、再生させるべき音声が再生されないということがなくなり、快適な視聴を実現することが可能になる。
【０１２６】
（第６実施形態）
本発明の第６実施形態に係るＢＤ再生装置は、第４実施形態に係るＢＤ再生装置４００と同様に、センサの信号に基づいて振動を検出するとともに、用途を判別し、その判別した用途に応じたモードでＢＤを再生する装置である。
【０１２７】
本実施形態に係るＢＤ再生装置６００について、図１２及び１３を参照して説明する。
【０１２８】
ＢＤ再生装置６００は、図１２に示すように、第４実施形態に係るＢＤ再生装置４００が備える構成要素に加えて、再生判断部６５１を備える。再生判断部６５１は、再生制御部１０３がＢＤ１０７のコンテンツを再生中であるか否かを判断する。
【０１２９】
ＢＤ再生装置６００が実行する処理について、図１３を参照して説明する。
【０１３０】
再生判断部６５１は、入力受付部１０６からの指示に基づいて、電源をＯＮにする指示を受け付けたか否かを判断する（ステップＳ６５１）。入力受付部１０６から電源をＯＮにする指示を受け付けていないと判断した場合（ステップＳ６５１；Ｎｏ）、再生判断部６５１は待機する。
【０１３１】
入力受付部１０６から電源をＯＮにする指示を受け付けたと判断した場合（ステップＳ６５１；Ｙｅｓ）、再生判断部６５１は、ＢＤ１０７のコンテンツの再生中であるか否かを示す再生情報を再生制御部１０３から取得し、取得した再生情報に基づいてコンテンツの再生中であるか否かを判断する（ステップＳ６５２）。
【０１３２】
再生情報は、コンテンツ再生中に再生制御部１０３が生成する情報であればよく、例えばコンテンツ再生中であることを示す特定の信号、再生制御部１０３が生成するコンテンツ情報などであってよい。
【０１３３】
再生中であると判断した場合（ステップＳ６５２；Ｙｅｓ）、再生判断部６５１は待機する。
【０１３４】
再生中でないと判断した場合（ステップＳ６５２；Ｎｏ）、振動検出部４０４は、再生判断部６５１からの信号をトリガとして、センサ４４１から取得したセンサ検知信号に基づいて振動を検出し、振動回数情報を出力する（ステップＳ１０３）。
【０１３５】
続けて、判別部１０５により用途判別処理（ステップＳ１０４）が実行された後、再生判断部６５１は、入力受付部１０６からの指示に基づいて、電源をＯＦＦにする指示を受け付けたか否かを判断する（ステップＳ６５３）。
【０１３６】
電源をＯＦＦにする指示を受け付けていないと判断した場合（ステップＳ６５３；Ｎｏ）、再生判断部６５１は、コンテンツの再生中であるか否かの判断処理（ステップＳ６５２）を実行する。また、電源をＯＦＦにする入力を受け付けたと判断した場合（ステップＳ６５３；Ｙｅｓ）、ＢＤ再生装置６００は処理を終了する。
【０１３７】
本実施形態によれば、再生処理を実行していない時に振動を検出するため、振動を検出時には音声が出力されていない。そのため、音声出力による振動の影響を受けずに、正確に振動を検出することが可能になる。
【０１３８】
（第７実施形態）
本発明の第７実施形態に係るＢＤ再生装置は、第１実施形態に係るＢＤ再生装置１００と同様に、サーボ信号に基づいて振動を検出するとともに、用途を判別し、その判別した用途に応じたモードでＢＤを再生する装置である。第７実施形態に係るＢＤ再生装置は、振動回数ＮＶではなく、振動が検出された割合（振動検出率，ＶＤＲ）によって用途を判別する。
【０１３９】
ＢＤ再生装置７００について、図１４〜１９を参照して説明する。
【０１４０】
ＢＤ再生装置７００は、図１４に示すように、ＢＤ再生装置１００と概ね同様の構成を備えており、ＢＤ再生装置１００の振動検出部１０４及び判別部１０５に代えて振動検出部７０４及び判別部７０５を備える。
【０１４１】
振動検出部７０４は、振動検出部１０４と同様に、検出された振動に関する振動検出情報を出力する。振動検出部７０４は、図１５に示すように、第１実施形態に係る振動検出部１０４とは詳細な構成が異なる。本実施形態に係る振動検出部７０４は、振動検出部１０４が備える構成要素に加えてサンプリング回数記憶部７１７を備え、初期化部１１３及びインクリメント部１１６に代えて初期化部７１３及びインクリメント部７１６を備える。
【０１４２】
サンプリング回数記憶部７１７は、振動検出用信号ＴＳＨＯＣＫを生成するサンプリング処理が実行された回数であるサンプリング回数ＮＳを示すサンプリング回数情報を記憶しており、ＲＡＭなどによって実現される。
【０１４３】
初期化部７１３は、振動を検出するための初期化処理として、タイマ１１２を起動するとともに、振動回数記憶部１１１が記憶している振動回数情報及びサンプリング回数情報をリセットする。
【０１４４】
インクリメント部７１６は、信号比較部１１５の比較結果を示す情報を取得し、サンプリング回数記憶部７１７に記憶されたサンプリング回数情報が示すサンプリング回数ＮＳをインクリメントする。また、インクリメント部７１６は、比較結果に応じて、振動回数記憶部１１１に記憶された振動回数情報が示す振動回数ＮＶをインクリメントする。さらに、インクリメント部１１６は、振動回数ＮＶ及びサンプリング回数ＮＳを含む振動検出情報を出力する。
【０１４５】
図１４に戻り、判別部７０５は、振動検出情報を振動検出部７０４から取得し、取得した振動検出情報に基づいてＢＤ再生装置７００の用途が据置用と搬送用のいずれであるかを判別し、判別結果を示す情報を出力する。判別部７０５は、図１６に示すように、第１実施形態に係る判別部１０５とは詳細な構成が異なる。本実施形態に係る判別部７０５は、検出率算出部７２３と検出率比較部７２１と用途決定部７２２とを備える。
【０１４６】
検出率算出部７２３は、振動検出部７０４から取得した振動検出情報を参照して、振動回数ＮＶをサンプリング回数ＮＳで除することによって得られる値を振動検出率ＶＤＲとして算出する。
【０１４７】
検出率比較部７２１は、振動検出率を示す振動検出率情報を検出率算出部７２１から取得し、振動検出率と予め設定された閾値ＴＶ３とを比較し、比較結果を示す情報を出力する。
【０１４８】
用途決定部７２２は、検出率比較部７２１から取得した情報が示す比較結果に基づいて、ＢＤ再生装置７００の用途が「据置用」と「搬送用」のいずれであるかを決定し、決定内容を示す情報を出力する。
【０１４９】
ＢＤ再生装置７００が実行する処理について、フローチャートを参照して説明する。
【０１５０】
図１７は、ＢＤ再生装置７００が実行する処理の概要を示す。同図に示されるように、ＢＤ再生装置７００が実行する処理は、概ねＢＤ再生装置１００が実行する処理と同様であり、振動検出処理（ステップＳ７０３）及び用途判別処理（ステップＳ７０４）の詳細が異なる。各処理について、図１８及び図１９を参照して説明する。
【０１５１】
振動検出処理（ステップＳ７０３）は振動検出部７０４によって実行される処理であり、その詳細を図１８に示す。
【０１５２】
初期化部７１３は、振動回数記憶部１１１に記憶された振動回数情報が示す振動回数ＮＶを０にリセットし、サンプリング回数記憶部７１７に記憶されたサンプリング回数情報に含まれるサンプリング回数ＮＳを０にリセットし、タイマ１１２を起動させる（ステップＳ７１１）。
【０１５３】
サンプリング部１１４は、タイマ１１２を参照しながら、振動検出時間ＶＤＴがＴ１になるまでの間（ステップＳ１１２）、サンプリング処理（ステップＳ１１３）を実行する。続けて、信号比較部１１５は、振動検出用信号ＴＳＨＯＣＫの比較判断処理（ステップＳ１１４）を実行する。
【０１５４】
振動検出用信号ＴＳＨＯＣＫが閾値ＴＶ１以上である場合（ステップＳ１１４；Ｙｅｓ）、インクリメント部７１６は、振動回数ＮＶのインクリメント処理（ステップＳ１１５）を実行する。詳細には、インクリメント部７１６は、振動回数記憶部１１１に記憶された振動回数情報が示す振動回数ＮＶに１を加算し、加算後の振動回数ＮＶを振動回数情報として振動回数記憶部１１１に記憶させる（ステップＳ１１５）。
【０１５５】
振動検出用信号ＴＳＨＯＣＫが閾値ＴＶ１未満である場合（ステップＳ１１４；Ｎｏ）、又は、振動回数ＮＶのインクリメント処理（ステップＳ１１５）の後、インクリメント部７１６は、サンプリング回数ＮＳのインクリメント処理（ステップＳ７１７）を実行する。詳細には、インクリメント部７１６は、サンプリング回数記憶部７１７に記憶されたサンプリング回数情報が示すサンプリング回数ＮＳに１を加算し、加算後のサンプリング回数ＮＳをサンプリング回数情報としてサンプリング回数記憶部７１７に記憶させる（ステップＳ７１７）。
【０１５６】
インクリメント部７１６は、信号比較部１１５を介して振動検出時間ＶＤＴがＴ１になったことを示す情報を取得すると、振動回数記憶部１１１及びサンプリング回数記憶部７１７から振動回数情報及びサンプリング回数情報を取得する。続けて、インクリメント部７１６は、取得した情報群が示す振動回数ＮＶ及びサンプリング回数ＮＳを含む振動検出情報を出力する（ステップＳ１１６）。これにより、振動検出処理（ステップＳ７０３）が終了する。
【０１５７】
用途判別処理（ステップＳ７０４）は判別部７０５によって実行される処理であり、その詳細を図１９に示す。
【０１５８】
検出率算出部７２３は、振動検出情報をインクリメント部７１６から取得し（ステップＳ７２１）、取得した振動検出情報に含まれる振動回数ＮＶをサンプリング回数ＮＳで除することによって、振動検出率を算出する（ステップＳ７２６）。
【０１５９】
検出率比較部７２１は、振動検出率を示す振動検出率情報を検出率算出部７２３から取得し、取得した振動検出率情報に含まれる振動検出率と予め設定された閾値ＴＶ３とを比較し、比較結果を示す情報を出力する（ステップＳ７２２）。
【０１６０】
用途決定部７２２は、比較結果を示す情報を取得し、当該情報に含まれる比較結果において振動検出率が閾値ＴＶ３以上である場合（ステップＳ７２２；Ｙｅｓ）、用途が搬送用であると決定する（ステップＳ７２３）。また、用途決定部７２２は、比較結果において振動検出率が閾値ＴＶ３未満である場合（ステップＳ７２２；Ｎｏ）、用途が据置用であると決定する（ステップＳ７２４）。
【０１６１】
用途決定部７２２は、決定した用途を示す判別情報を出力する（ステップＳ７２５）。すなわち、用途決定部７２２は、振動検出率が閾値ＴＶ３以上である場合（ステップＳ７２２；Ｙｅｓ）には搬送用であることを示す判別情報を、振動検出率が閾値ＴＶ３未満である場合（ステップＳ１２２；Ｎｏ）には用途が据置用であることを示す判別情報を判別情報記憶部１０１及び再生制御部１０３に出力する。
【０１６２】
このように、本実施形態に係るＢＤ再生装置７００は、振動検出率に基づいて用途を判別する。本実施形態は、振動検出率に基づく用途判別方法を第１実施形態に係るＢＤ再生装置１００に適用した例であるが、この用途判別方法は、第２〜第６実施形態に係るＢＤ再生装置に適用することもできる。これによって、各実施形態と同様の効果を奏する。
【０１６３】
以上、本発明の実施形態に係るＢＤ再生装置及びその方法について説明したが、本発明はこれまで説明した実施形態に限定されるものではない。
【０１６４】
（変形例１）
実施形態ではＢＤ再生装置を例に説明したが、各実施形態はコンテンツを示すコンテンツ情報を媒体に記録するＢＤ記録装置にも適用できる。例えば、実施形態１と同様の処理によって振動を検出し、用途を判別するＢＤ記録装置の構成例を図２０に示す。同図に示すように、ＢＤ記録装置８００は、判別情報記憶部１０１と、モード情報記憶部１０２と、振動検出部１０４と、判別部１０５と、入力受付部１０６と、撮像部８５１と、記録制御部８０３と、出力部８０８とを備える。
【０１６５】
判別情報記憶部１０１とモード情報記憶部１０２とは、それぞれ第１実施形態と同様に、判別情報１０１ａとモード情報１０２ａとを記憶している。
【０１６６】
振動検出部１０４は、第１実施形態と同様に、ＢＤ記録装置８００に生じた振動回数ＮＶを示す情報を、ＢＤ記録装置８００の振動に関する振動検出情報として出力する。
【０１６７】
判別部１０５は、第１実施形態と同様に、振動検出情報を取得し、取得した振動検出情報に含まれる振動回数ＮＶに基づいて、ＢＤ記録装置８００の用途が一定以上の振動を伴う搬送用と一定以上の振動を伴わない据置用のいずれであるかを判別する。
【０１６８】
入力受付部１０６は、第１実施形態と同様に、利用者などが操作することによって入力された信号を受け付けて、受け付けた信号を出力する。
【０１６９】
撮像部８５１は、画像を撮影し、撮影したコンテンツを示すコンテンツ情報を生成する。撮像部８５１は、例えばレンズ、撮像素子などを備える。
【０１７０】
記録制御部８０３は、判別部１０５によって搬送用であると判別された場合に、据置用での再生に適した据置用モードよりも機能が制限された搬送用モードでコンテンツ情報を生成し、生成したコンテンツ情報をＢＤ１０７に記録するための制御を実行する。
【０１７１】
出力部８０８は、記録制御部８０３により生成されたコンテンツ情報を取得して、ＢＤ１０７にコンテンツ情報を記録する。
【０１７２】
本変形例に係るＢＤ記録装置８００は、第１実施形態に係るＢＤ再生装置１００の変形例であるが、この変形は、第２実施形態から第７実施形態に係るＢＤ再生装置にも適用できる。
【０１７３】
（変形例２）
各実施形態では、再生又は記録する情報が記録された媒体がＢＤである場合を例に説明したが、媒体はＤＶＤ、ＣＤなどの光ディスクであってよい。
【０１７４】
例えば、各実施形態において例示した搬送用モードは、据置用モードとは利用する機能が異なる再生（記録）方式、好ましくは、据置用モードよりもコンテンツ再生（記録）処理においてＢＤ再生（記録）装置に掛かる負荷が小さい再生方式の一例である。
【０１７５】
利用する機能が異なるモードを採用することによって、例えば第１用途に適した再生方式である第１モードでは、ファームウェアを更新する必要がないようにすること、又はファームウェアを更新する頻度を低減させることが可能になる。また、第２用途に適した再生方式である第２モードよりも低スペックの再生（記録）装置で処理できるように、第１モードを設定することができる。したがって、再生（記録）装置の構造の簡易化とコンパクト化が可能になる。
【０１７６】
このような効果は、コンテンツ再生（記録）処理においてＢＤ再生（記録）装置に掛かる負荷が異なるモードを採用した場合にも、同様に得ることができる。すなわち、処理負荷が小さいモードでは、ファームウェアを更新する必要がないようにすること、又はファームウェアを更新する頻度を低減させることが可能になる。また、処理負荷が小さいモードでは、処理負荷が小さいモードよりも低スペックの再生（記録）装置で処理することができ、再生（記録）装置の構造の簡易化とコンパクト化が可能になる。
【０１７７】
（変形例３）
各実施形態では、コンテンツが音声と動画像とを含む場合を例に説明したが、コンテンツは、音声と動画像のいずれか一方のみを含むものであってもよい。
【０１７８】
（変形例４）
実施形態では、振動検出部が、サーボ信号又はセンサから出力される信号に基づいて、振動検出情報を出力する場合を例に説明したが、再生装置の振動に関する振動検出情報を出力する例はこれらに限られない。振動検出情報の生成には、ＢＤ再生又は記録装置が設けられる機器特有の信号が利用されてもよい。
【０１７９】
例えば、ＢＤ再生装置が車載用である場合、振動検出部は、スピードメータに車速を表示するために一般的な自動車に設けられる車速を検知するためのパルス発生装置が発するパルス信号を利用してもよい。この場合、振動検出部は、パルス信号を検知したときにそのことを示す振動検出情報を出力する。判別部は、パルス信号を検知したことを示す振動検出情報を取得した場合に、用途を搬送用と判別する。
【０１８０】
これにより、ＢＤ再生装置が用途を判別するための構成及び処理を簡素にすることができ、ＢＤ再生装置のコンパクト化を図りながら用途を判別することが可能になる。
【０１８１】
（変形例５）
各実施形態では、用途が搬送用及び据置用である場合を例に説明したが、用途はこれらに限られず、振動によって判別できる用途であればよい。例えば、記録装置としてのビデオカメラであれば、三脚などで固定して使用する固定用と手持ちで使用する手持ち用とが用途としてある。また、再生機能を備えたビデオカメラであれば、同じビデオカメラで画像の記録と再生をすることができ、このようなビデオカメラは本発明に係る記録装置に含まれるだけでなく、再生装置にも含まれる。
【０１８２】
（変形例６）
各実施形態では用途判別処理の都度、その結果は更新されることになるが、一旦判別された結果が保持され、例えば利用者が更新指示を与えない限り保持されてもよい。また、一定の期間、時間、又はサンプリング回数の後に、判別部が用途を判別し、判別情報記憶部の判別情報を更新してもよい。本変形例は、実施形態１〜７及び他の変形例で説明した装置及び方法に適用することができる。本変形例によれば、判別処理により装置に掛かる負荷を軽減することができる。
【０１８３】
（変形例７）
各実施形態では、振動検出時間ＶＤＴごとに用途が判別されることになるが、一定の期間、時間、又は回数以上の振動検出のためのサンプリング結果に基づいて用途が判別されてもよい。
【０１８４】
本変形例の場合、本発明に係る装置は、振動検出のためのサンプリング履歴情報を記憶しているサンプリング履歴記憶部と、当該履歴情報に基づいて一定の期間、時間、又は回数以上のサンプリング履歴が蓄積されたか否かを判断する履歴判断部とを備える。振動履歴情報は、振動が検知されたか否かを示す情報を含み、さらに、サンプリング時期又はサンプリング時間を適宜含む。
【０１８５】
この場合、履歴判断部によって一定の期間、時間、又は回数以上のサンプリング履歴が蓄積されたと判断された場合に、判別部は用途を判別し、判別した結果によって判別情報記憶部の判別情報を更新する。
【０１８６】
履歴判断部によって一定の期間、時間、又は回数以上のサンプリング履歴が蓄積されていないと判断された場合に、判別部は判別情報記憶部の判別情報を更新しない。
【０１８７】
本変形例は、実施形態１〜７及び他の変形例で説明した装置及び方法に適用できる。本変形例によれば、振動履歴に基づいて用途が判別されるため、偶発的な振動が判別に与える影響は軽減する。そのため、判別の誤りを減らすことができる。
【０１８８】
（変形例８）
判別情報１０１ａには、予め初期値が設定されていてもよい。判別情報１０１ａの初期値には、搬送用が設定されることが望ましい。初期値に据置用が設定されると、実際の用途が搬送用である場合にファームウェアの更新をしていないために、コンテンツの再生ができなくなることがあり得る。搬送用を初期値とすることによって、少なくとも最初の用途判別処理が実行されるまで、コンテンツは搬送用モードで再生される。したがって、ファームウェアの更新をしていないために、コンテンツの再生ができなくなることを防ぐことができる。
【０１８９】
また、判別情報１０１ａの初期値は、利用者からの電源をＯＮ又はＯＦＦにする指示を受け付ける度に、その直後に搬送用に設定されてもよい。これによって、据置用と搬送用とのいずれの用途にも装置が利用される場合であっても、ファームウェアの更新をしていないために、コンテンツの再生ができなくなることを防ぐことができる。
【０１９０】
（物理的構成）
図２１は、本発明の各実施形態に係るＢＤ再生装置１００，２００，４００，６００，７００の物理的構成の一例を示す。ＢＤ再生装置１００，２００，４００，６００，７００は、記憶部９０１と、センサ４４１（４０１，４０２）と、プロセッサ９０２と、出力部１０８（１０９，１１０）とを備える。各要素は、内部バス９０３により通信可能に接続されている。図２１では各要素は１つとしているが、各要素は複数に分けて備えられてもよい。
【０１９１】
記憶部９０１は、フラッシュメモリ、ハードディスクドライブなどであり、各実施形態に係る記憶部１０１，１０２に相当し、判別情報１０１ａ、モード情報１０２ａを記憶している。記憶部９０１は、各閾値、プロセッサ９０２が実行するソフトウェア・プログラムなどを記憶していてもよい。
【０１９２】
センサ４４１は、第４、第５及び第６実施形態において使用される加速度センサ、角速度（ジャイロ）センサなどである。センサ４４１は、第１、第２、第３及び第７実施形態に係るＢＤ再生装置１００，２００，７００には備えられなくてもよい。
【０１９３】
プロセッサ９０２は、記憶部９０１に記憶されたソフトウェア・プログラム、自身に組み込まれたプログラムを実行する演算処理装置である。プロセッサ９０１は、それらのプログラムを実行することによって、各実施形態に係る再生制御部１０３、振動検出部１０４，４０４，７０４、判定部１０５，７０５、及び入力受付部１０６の機能を発揮する。
【０１９４】
出力部１０８は、画像を出力する液晶モニタ、プラズマディスプレイなど（１０９）、及び音声を出力するスピーカなど（１１０）を含む。出力部１０８は、図２１に示すようにＢＤ再生装置１００，２００，４００，６００，７００に内蔵されてもよいが、ＢＤ再生装置１００，２００，４００，６００，７００の外部に着脱可能に設けられてもよい。
【０１９５】
次に、図２２は、本発明の一実施形態に係るＢＤ記録装置８００の物理的構成の一例を示す。ＢＤ記録装置８００は、記憶部１００１と、プロセッサ１００２と、出力部８０８と、撮像部８５１とを備える。各要素は、内部バス１００３により通信可能に接続されている。図２２では、各要素は１つとしているが、各要素は複数に分けて備えられてもよい。また、適宜、加速度センサ、角速度（ジャイロ）センサなどのセンサが備えられてもよい。
【０１９６】
記憶部１００１は、フラッシュメモリ、ハードディスクドライブなどであり、第８実施形態に係る記憶部１０１，１０２に相当し、判別情報１０１ａ、モード情報１０２ａを記憶している。記憶部１００１は、各閾値、プロセッサ１００２が実行するソフトウェア・プログラムなどを記憶していてもよい。
【０１９７】
プロセッサ１００２は、記憶部１００１に記憶されたソフトウェア・プログラム、自身に組み込まれたプログラムを実行する演算処理装置である。プロセッサ１００２は、それらのプログラムを実行することによって、第８実施形態に係る記録制御部８０３、振動検出部１０４、判定部１０５、及び入力受付部１０６の機能を発揮する。
【０１９８】
出力部８０８は、コンテンツ情報を取得して、ＢＤ１０７にコンテンツ情報を記録する部位であり、プリズム、レンズなどの光学機器、レーザダイオード、これらの作動を制御する制御部などを備える。
【０１９９】
なお、本発明は、各実施形態及び各変形例を矛盾しない限度で任意に組み合わせたもの、さらに、本発明の要旨を変更しない範囲で各実施形態、各変形例、及びそれらを組み合わせたものに変更を加えたものを含む。また、本発明は、各実施形態、各変形例、及びそれらを組み合わせたものに係る方法に含まれるステップをコンピュータに実行させるプログラムとして実現されてもよい。さらに、本発明は、そのようなプログラムがコンピュータに読み取り可能に記録された記憶媒体として実現されてもよい。
【符号の説明】
【０２００】
１００，２００，４００，６００，７００：ＢＤ再生装置
１０１：判別情報記憶部
１０１ａ：判別情報
１０２：モード情報記憶部
１０２ｂ：モード情報
１０４，４０４，７０４：振動検出部
１０５，７０５：判別部
１０３：再生制御部
１０８，８０８：出力部
１１０：音声出力部
２０１：無音判断部
４４１：センサ
６５１：再生判断部
８００：ＢＤ記録装置
８０３：記録制御部
【図１】
0005482676.tif 000002
【図２】
0005482676.tif 000003
【図３】
0005482676.tif 000004
【図４】
0005482676.tif 000005
【図５】
0005482676.tif 000006
【図６】
0005482676.tif 000007
【図７】
0005482676.tif 000008
【図８】
0005482676.tif 000009
【図９】
0005482676.tif 000010
【図１０】
0005482676.tif 000011
【図１１】
0005482676.tif 000012
【図１２】
0005482676.tif 000013
【図１３】
0005482676.tif 000014
【図１４】
0005482676.tif 000015
【図１５】
0005482676.tif 000016
【図１６】
0005482676.tif 000017
【図１７】
0005482676.tif 000018
【図１８】
0005482676.tif 000019
【図１９】
0005482676.tif 000020
【図２０】
0005482676.tif 000021
【図２１】
0005482676.tif 000022
【図２２】
0005482676.tif 000023